(57)【特許請求の範囲】
【請求項１】
花ハスの種レンコンであって、
２節または３節からなり、輪状または半輪状である、その直径が１３．５ｃｍ以下の花ハスの種レンコンと、
透明または半透明である、ふた付きの容器とからなることを特徴とする容器入りの花ハスの種レンコン。
【請求項２】
花ハスの種レンコンの運搬方法であって、
２節または３節からなり、輪状または半輪状の、その直径が１３．５ｃｍ以下の花ハスの種レンコンを、
透明または半透明である、ふた付きの容器に入れて運搬することを特徴とする花ハスの種レンコンの運搬方法。
【発明の詳細な説明】
【技術分野】
【０００１】
この発明は、花ハスと呼ばれる観賞用のハスの、発芽させるレンコン（以下、種レンコンという。）に関し、特に花ハスの種レンコンの運搬中や販売中に起こる、種レンコンの芽が折れるなどの物損事故、さらに種レンコンの植え付け時に起こる、種レンコンの芽を折ってしまうなどの失敗をなくせる花ハスの種レンコンとその運搬方法に関する。
【背景技術】
【０００２】
花ハスの栽培方法としては、鉢内に粉砕稲わらを３０〜４０ｃｍ詰め、その上に培養土を約１０ｃｍ盛ることで、鉢を軽量化して鉢の運搬移動を容易にしたものが提案されている（例えば、特許文献１参照）。
【０００３】
また、ハスなどの水生植物の栽培方法としては、水生植物の種類に応じて適切な大きさと深さの底なし容器を用い、底なし容器に充満するように詰め込んだ植物繊維に水生植物の苗を植え込み、水生植物の根を植物繊維と網状に一体化させることで、水生植物を運搬する際に、一体化した水生植物の根と植物繊維とを底なし容器から抜き出し、これを少し乾燥させて軽量にしてから運搬できるようにしたものが提案されている（例えば、特許文献２参照）。
【先行技術文献】
【特許文献】
【０００４】
【特許文献１】特開２００６−９４８４１号公報（段落０００６，０００９、図２）
【特許文献２】特開平５−１３７４７３号公報（段落０００５，０００９、図１）
【発明の概要】
【発明が解決しようとする課題】
【０００５】
しかしながら、前記特許文献１に係る花ハスの栽培方法では、鉢植え土壌に粉砕稲わらを使うことで鉢を軽量化して鉢の移動運搬を容易にしているが、鉢に水を張った状態で鉢を運搬しようとすると泥水がこぼれて周りを汚してしまう。また、前記特許文献１に係る花ハスの栽培方法では、粉砕稲わらは保水力があり、運搬時に長時間水を切っても生育に影響がでにくいとしているが、ハスは葉がしおれると回復しないことから、出荷などで運搬に一日から数日かかる場合には鉢に水を張らなければならず、鉢を運搬しようとすると泥水がこぼれて周りを汚してしまう。
【０００６】
前記特許文献２に係る水生植物の栽培方法では、水生植物の根を植物繊維と網状に一体化させているために、水生植物の根をはっきりと見ることができない。そのため、前記特許文献２に係る水生植物の栽培方法では、種レンコンの状態で取引をしようとすると、種レンコンの状態を見ることができず、種レンコンの品質を判断できない。
【０００７】
そこで、この発明では、前記した課題を解決し、特に花ハスの種レンコンの運搬中や販売中に起こる、種レンコンの芽が折れるなどの物損事故、さらに種レンコンの植え付け時に起こる、種レンコンの芽を折ってしまうなどの失敗をなくせる花ハスの種レンコンとその運搬方法を提供することを目的とする。
【課題を解決するための手段】
【０００８】
前記課題を解決するため、請求項１に係る発明では、花ハスの種レンコンとして、輪状または半輪状の種レンコンを用いるようにした。
【０００９】
請求項２に係る発明では、花ハスの種レンコンとして、直径が１３．５ｃｍ以下の輪状または半輪状の種レンコンを用いるようにした。
【００１０】
請求項３に係る発明では、輪状または半輪状の花ハスの種レンコンを、ふた付きの容器に入れて運搬するようにした。
【００１１】
請求項４に係る発明では、その容器を透明または半透明にした。
【発明の効果】
【００１２】
請求項１に係る発明によれば、花ハスの種レンコンとして、輪状または半輪状の種レンコンを用いるようにしたので、種レンコンの植え付け時に起こる、種レンコンの芽を折ってしまうといった失敗をなくすことができる。ここで、花ハスの種レンコンは先端の芽が生育に不可欠であることから、先端の芽を折らないように細心の注意が払われるところ、従来のまっすぐな種レンコンでは、小さめの鉢に植え付けようとすると、先端の芽を鉢の内壁に当ててしまい、種レンコンの芽を折ってしまうといった失敗があった。より詳しく説明すると、花ハスの種レンコンは、種レンコンを押さえて泥の中に沈めるように植え付けるため、従来のまっすぐな種レンコンを小さめの鉢に植え付けようとすると、鉢の内径が底に向かって狭まっていることもあり、先端の芽が鉢の内壁に当りやすかった。
【００１３】
そこで、請求項１に係る発明によれば、花ハスの種レンコンとして、輪状または半輪状の種レンコンを用いるようにしたので、新芽が輪状または半輪状の種レンコンの延伸上に伸びやすい。そのため、請求項１に係る発明によれば、花ハスの種レンコンを、小さめの鉢に植え付ける場合でも、種レンコンの芽、特に先端の芽が鉢の内壁に当たりにくくなり、種レンコンの芽を折ってしまうといった失敗をなくすことができる。
【００１４】
また、請求項１に係る発明によれば、花ハスの種レンコンとして、輪状または半輪状の種レンコンを用いるようにしたので、種レンコンを意図した位置に植え付けることができる。より詳しく説明すると、花ハスの栽培には丸い鉢が好まれるところ、輪状または半輪状の種レンコンを用いるようにしたので、丸い鉢の中央に位置決めがしやすくなり、種レンコンの芽が鉢の内壁に当たりにくい位置に植え付けることができる。
【００１５】
さらに、請求項１に係る発明によれば、花ハスの種レンコンとして、輪状または半輪状の種レンコンを用いるようにしたので、従来のまっすぐな種レンコンよりも長い種レンコン、具体的には鉢の直径よりも長い種レンコンを鉢に植え付けることができる。そのため、請求項１に係る発明によれば、植え付け後の生育が良い、長い種レンコンを植え付けられるので、花ハスを小さな鉢で栽培しても開花しやすくなり、小さな鉢でもハスの花を観賞することができる。
【００１６】
請求項２に係る発明によれば、花ハスの種レンコンとして、直径が１３．５ｃｍ以下の輪状または半輪状の種レンコンを用いるようにしたので、種レンコンを例えば直径１３．５ｃｍの鉢（以後、４．５号鉢という。）に植え付けることができる。そのため、請求項２に係る発明によれば、花ハスを４．５号鉢という、手に乗るほどの小さな鉢で栽培することができ、手に乗るほどの小さな鉢でハスの花を観賞することができる。
【００１７】
そして、請求項２に係る発明によれば、花ハスを４．５号鉢という、手に乗るほどの小さな鉢で栽培することができるので、ハスの花を間近で、例えば真上からも観察することができる。ここで、ハスの花は上を向いて咲くため、請求項２に係る発明によれば、花の真上から花を観察や撮影して、花ハスの楽しみ方を広げられる。
【００１８】
また、請求項２に係る発明によれば、花ハスを４．５号鉢という、手に乗るほどの小さな鉢で栽培することができるので、鉢を容易に移動することができ、例えば花が咲きそうな鉢をバックヤードから移動させることもできる。ここで、ハスの花の開花期間は３日間と短いため、請求項２に係る発明によれば、花が咲きそうな鉢を人目に付く場所に移動させて、花ハスを楽しむ機会を増やせる。
【００１９】
請求項３に係る発明によれば、輪状または半輪状の花ハスの種レンコンをふた付きの容器に入れて運搬するようにしたので、輪状または半輪状の種レンコンの延伸上に伸びる新芽が、容器の側面にぶつかりにくくなる。そのため、請求項３に係る発明によれば、花ハスの種レンコンの運搬中や販売中に起こる、種レンコンの芽が折れるといった物損事故をなくすことができる。
【００２０】
そして、請求項３に係る発明によれば、従来は芽が折れるといった物損事故を避けるために新芽が伸び始めると種レンコンを運搬できなかったところ、新芽が伸び始めた状態でも種レンコンを運搬することができるので、種レンコンの植え付けの適期である新芽が伸び始めた状態で、種レンコンを消費者に提供することができる。
【００２１】
また、請求項３に係る発明によれば、輪状または半輪状の花ハスの種レンコンをふた付きの容器に入れて運搬するようにしたので、種レンコンを水につけた状態で運搬することができ、運搬中に水がこぼれないようにすることもできる。
【００２２】
そして、請求項３に係る発明によれば、花ハスの種レンコンをふた付きの容器に入れて運搬するようにしたので、運搬中に水がこぼれないばかりが、容器の水が蒸発することも防ぐことができる。そこで、請求項３に係る発明によれば、種レンコンを店頭に陳列している数日から数十日間、水やりの手間もかからない。
【００２３】
さらに、請求項３に係る発明によれば、花ハスの種レンコンをふた付きの容器に入れて運搬するようにしたので、容器を重ねることができ、より多くの種レンコンを運搬することができるとともに、より多くの種レンコンを店頭で陳列することもできる。
【００２４】
請求項４に係る発明によれば、容器を透明または半透明にしたので、容器の外から種レンコンの状態を見ることができ、種レンコンの品質を容易に判断することができる。そのため、請求項４に係る発明によれば、芽が欠けていないかなど、種レンコンの状態や品質を確認してもらいながら、安心して種レンコンを提供することができ、納得して種レンコンを購入してもらうことができる。
【００２５】
また、請求項４に係る発明によれば、従来は種レンコンの状態や品質を確認するために種レンコンを取り出したり、種レンコンを指でつついたりすることで、種レンコンの芽を折ってしまうことがあったところ、容器の外から種レンコンの状態を見ることができるので、種レンコンの販売中に起こる、種レンコンの芽が折れるといった物損事故をなくすこともできる。
【図面の簡単な説明】
【００２６】
【図１】実施形態に係る花ハスの種レンコンの斜視図である。
【図２】花ハスの種レンコンの運搬方法を説明する斜視図である。
【図３】花ハスの種レンコンの植え付け状態を説明する斜視図である。
【図４】（ａ）は実施形態に係る花ハスの種レンコンの調整方法を説明する斜視図のうち、調整前の状態を示す斜視図であり、（ｂ）は調整途中の状態を示す斜視図であり、（ｃ）は調整後の状態を示す斜視図である。
【発明を実施するための形態】
【００２７】
まず、この発明の創作の基礎となる事項について簡単に説明する。発明者は、「植木のまち」として知られる千葉県東金市で、花木類の苗木を栽培する生産者である。発明者は、主にセンリョウの鉢植えを生産していたところ、他産地の台頭と日本庭園の減少によって植木の需要が伸び悩んでいること、さらには温暖化に伴う高温障害によってセンリョウの実付きが悪くなったことから、センリョウの鉢植えに代わる新たな商品の開発に取り組んできた。
【００２８】
そうした中で発明者は、センリョウの鉢植えを生産していた施設をそのまま使えて、高温に耐えられる植物として花ハスに着目した。
【００２９】
花ハスに着目した発明者は、試しに花ハスの栽培を始めたところ、花ハスに魅せられた。そして、花ハスに魅せられた発明者は、本格的に花ハスの栽培を始めて、白妙（よみ：シロタエ、品種登録出願の番号第２７５５９号）、緋扇（よみ：ヒオウギ、品種登録出願の番号第２８０９２号）の育成を成し遂げた。
【００３０】
品種の改良に取り組む中で発明者は、今まで栽培してきた花木類は鉢を小さくしても葉や花の大きさは本来の大きさのままであるところ、花ハスの中には鉢を小さくすると葉や花の大きさが小さくなるもの、それもバランスよく小さくなるものがあることに気づいた。
【００３１】
このことに気づいた発明者は、花ハスがセンリョウの鉢植えに代わる新たな商品になるよう、花ハスをセンリョウの鉢植えと同じような大きさの、花ハスにとっては小さめの鉢で栽培し始めた。そうしたところ、花ハスの地下茎はまっすぐに伸びようとする性質があるところ、花ハスを小さめの鉢で栽培すると鉢の内壁に沿って渦巻き状の種レンコンが得られた。
【００３２】
そして、発明者は、花ハスの種レンコンとして輪状または半輪状ものを用いると、まっすぐな種レンコンと比べて、新芽が出る種レンコンの先端に力が加わりにくいことを見いだし、この発明を創作するに至ったものである。
【００３３】
次に、この発明の実施形態について、適宜図面を参照しながら詳細に説明する。図１は、実施形態に係る花ハスの種レンコンの斜視図である。図１に示すように、花ハスの種レンコン１は、輪状または半輪状のものが用いられ、ここでは輪状ものが用いられている。
【００３４】
花ハスの種レンコン１としては、２節または３節あれば十分であり、ここでは３節である。花ハスの種レンコン１は、３月中旬ごろになると、葉芽２と地下茎になる芽３が伸び始めてくる。
【００３５】
図２は、花ハスの種レンコン１の運搬方法を説明する斜視図である。図２に示すように、花ハスの種レンコン１は、透明なふたＬ付きの容器Ｃに入れて運搬されるものである。
【００３６】
花ハスの種レンコン１では、輪状のものをふたＬ付きの容器Ｃに入れて運搬するために、輪状の種レンコン１の延伸上に伸びる葉芽２と地下茎になる芽３が、容器Ｃの側面にぶつかりにくい。そのため、花ハスの種レンコン１では、種レンコンの運搬中や販売中に起こる、種レンコンの芽が折れるといった物損事故が起こりにくい。
【００３７】
また、花ハスの種レンコン１をふたＬ付きの容器Ｃに入れて運搬するために、種レンコン１を水Ｗにつけた状態で運搬しても、運搬中に水Ｗがこぼれない。
【００３８】
そして、花ハスの種レンコン１をふたＬ付きの容器Ｃに入れて運搬するために、運搬中に水がこぼれないばかりが、容器Ｃの水Ｗは蒸発しにくい。そのため、花ハスの種レンコン１を店頭に陳列している数日間から数十日間、容器Ｃの水Ｗはなくならない。
【００３９】
さらに、花ハスの種レンコン１を透明なふたＬ付きの容器Ｃに入れて運搬するために、容器Ｃの外から種レンコン１の状態が見える。
【００４０】
図３は、花ハスの種レンコン１の植え付け状態を説明する斜視図である。図３に示すように、花ハスの種レンコン１は、泥Ｍを入れた鉢Ｐに植え付けられるものである。
【００４１】
ここで、花ハスの種レンコンは先端の芽が生育に不可欠であることから、先端の芽を折らないように細心の注意が払われるところ、従来のまっすぐな種レンコンでは、小さめの鉢に植え付けようとすると、先端の芽を鉢の内壁に当ててしまい、種レンコンの芽を折ってしまうといった失敗があった。より詳しく説明すると、花ハスの種レンコンは、種レンコンを押さえて泥の中に沈めるように植え付けるため、従来のまっすぐな種レンコンを小さめの鉢に植え付けようとすると、鉢の内径が底に向かって狭まっていることもあり、先端の芽が鉢の内壁に当りやすかった。
【００４２】
しかし、花ハスの種レンコン１では、輪状のものを用いるために、輪状の種レンコンの延伸上に伸びた葉芽２と地下茎になる芽３が鉢Ｐの内壁に当たりにくい。
【００４３】
また、花ハスの種レンコン１では、輪状のものを用いるために、例えば丸い鉢Ｐの中央、葉芽２と地下茎になる芽３が鉢Ｐの内壁に当たりにくい位置に植え付けられる。
【００４４】
図４は、実施形態に係る花ハスの種レンコンの調整方法（収穫物を商品の規格に合うよう整えることを調整という。）を説明する斜視図である。そして、図４の（ａ）は調整前の状態を示す斜視図であり、図４の（ｂ）は調整途中の状態を示す斜視図であり、図４の（ｃ）は調整後の状態を示す斜視図である。
【００４５】
図４の（ａ）に示すように、花ハスを小さめの鉢で栽培すると、翌年には古い株の下に渦巻き状の種レンコンができる。なお、図４の（ａ）は、花ハスを小さめの鉢で、より具体的には４．５号鉢で栽培した翌年の春先の状態を示しており、花ハスを鉢から抜いて種レンコンに付いた泥を落とした状態を示している。
【００４６】
図４の（ｂ）に示すように、古い株の下にできた渦巻き状の種レンコンのうち、株先の充実した２節または３節を一点鎖線の位置で切り取り、輪状または半輪状の花ハスの種レンコン１を得る（図４の（ｃ）参照）。
【００４７】
図４に示すように、花ハスを４．５号（直径１３．５ｃｍ）鉢で栽培すると、直径が１３．５ｃｍ以下の輪状または半輪状の花ハスの種レンコン１が得られる。そして、この直径が１３．５ｃｍ以下の輪状または半輪状の花ハスの種レンコン１は、４．５号鉢という、手に乗るほどの小さな鉢に植え付けられる。
【００４８】
以上、この発明の実施形態について説明したが、この発明は前記実施形態には限定されない。例えば、実施形態に係る花ハスの種レンコン１では、輪状のものについて説明したが、もちろん半輪状のものでも構わない。そして、輪状または半輪状の形は、円のほか楕円、四角形、三角形でも、それらの一部の形でも構わない。ここで、この発明が花ハスの種レンコンであることを考慮すると、輪状または半輪状とはまっすぐでないものを含むものである。
【００４９】
また、実施形態に係る花ハスの種レンコン１では、容器Ｃとして透明なものについて説明したが、もちろん半透明でも構わない。加えて、容器Ｃは、その全体が透明または半透明のほか、その一部が透明または半透明でも構わない。その外にも、容器Ｃは、ふたＬのみが透明または半透明でも構わない。
【００５０】
さらに、実施形態に係る花ハスの種レンコン１では、その容器として丸い容器について説明したが、ふた付きであればどのような形状でも構わない。
【符号の説明】
【００５１】
１  花ハスの種レンコン
２  葉芽
３  地下茎になる芽
Ｃ  容器
Ｌ  ふた
【図１】
0006587176.tif 000002
【図２】
0006587176.tif 000003
【図３】
0006587176.tif 000004
【図４】
0006587176.tif 000005